(57)【要約】【課題】フォーマットの制限によらず、ユーザの使い勝手を向上させるようにする。【解決手段】記録再生装置は、CODECとしてのエンコーダ／デコーダと、ＨＤＤにデータを読み書きする読み書き制御部と、ＤＶＤにデータを読み書きするドライブを有している。かかる記録再生装置は、記録開始指示操作から記録一時停止指示操作までの期間、即ち、DVDへのデータ記録期間にはHDDをバッファとして利用するが、記録一時停止指示操作により記録一時停止状態となった場合、再生指示操作によるデータ再生時には、HDDにバッファリングされているデータを再生データとして利用する。本発明は、記録用メディアとして少なくともDVDを有する記録再生装置に適用可能である。【選択図】図４
2007172672.tif 000002
【特許請求の範囲】
【請求項１】
第１のフォーマットに準拠した第１のメディアと、第２のフォーマットに準拠した第２のメディアとに対するデータの記録と再生を行う情報処理装置において、
記録用信号が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号を再生用信号として出力する符号化復号手段と、
前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段と、
前記第２のメディアに対するデータの記録指令、前記記録指令に基づくデータの記録の停止指令、前記記録指令に基づくデータの記録の一時停止指令、前記一時停止指令に基づく一時停止の解除指令、および、データの再生指令を発行する指令手段と、
前記指令手段から発行される指令に従って、前記符号化復号手段と前記読み書き手段を制御することで、データの記録と再生を制御する制御手段と
を備え、
前記制御手段は、
前記指令手段から前記記録指令が発行された場合、前記読み書き手段に対して、前記符号化復号手段から出力された前記符号化データを前記第１のメディアと前記第２のメディアとの両者に書き込む書込処理を実行させ、
前記指令手段から前記一時停止指令が発行された場合、前記読み書き手段に対して、前記書込処理の実行の一時停止をさせ、前記制御手段自身に対して、前記再生指令の受付を許可させ、
前記指令手段から前記再生指令が発行された場合、前記読み書き手段に対して、その再生指令で指定されている符号化データを前記第１のメディアから読み出して出力する読出処理を実行させ、前記符号化復号手段に対して、前記読み書き手段からの前記符号化データについての前記復号処理を実行させ、
前記指令手段から前記解除指令が発行された場合、前記読み書き手段に対して、前記書込処理の実行を再開させ、
前記指令手段から前記停止指令が発行された場合、前記読み書き手段に対して、前記書込処理の実行を停止させる
情報処理装置。
【請求項２】
前記第２のフォーマットでは、前記符号化データの記録単位として大単位と小単位とが少なくとも規定されており、
前記制御手段は、
前記指令手段から前記記録指令が発行された場合、前記書込処理の一部として、前記読み書き手段に対して、所定の大単位に属する第１の小単位に前記符号化データを含めるように前記第２のメディアに書き込む処理を実行させ、
前記指令手段から前記一時停止指令が発行された場合、前記読み書き手段に対して、前記第１の小単位の書き込みの終了をさせて、前記書込処理の実行を一時停止させ、
前記指令手段から前記解除指令が発行された場合、前記書込処理の再開の一部として、前記読み書き手段に対して、前記所定の大単位に属する第２の小単位に前記符号化データを含めるように前記第２のメディアに書き込む処理を実行させ、
前記指令手段から前記停止指令が発行された場合、前記読み書き手段に対して、前記書込処理の実行を停止させることで、前記所定の大単位の書き込みの終了をさせる
請求項１に記載の情報処理装置。
【請求項３】
前記第２のフォーマットは、前記大単位としてタイトルが規定され、かつ、前記小単位としてチャプタが規定されているDVD（Digital Versatile Disk）フォーマットであり、
前記第２のメディアはDVDである
請求項２に記載の情報処理装置。
【請求項４】
前記符号化データは、複数の単位データから構成されるストリームデータであって、
前記読み書き手段は、前記符号化復号手段から出力された前記符号化データを、それを構成する複数の前記単位データについての各時間管理情報とともに、少なくとも前記第２のメディアに書き込み、
前記情報処理装置は、前記時間管理情報を保持する保持手段をさらに備え、
前記制御手段は、
前記指令手段から前記一時停止指令が発行された場合、さらに、前記第２のメディアに書き込まれている第１の符号化データを構成する複数の前記単位データのうちの、その一時停止指令が発行された時点に書き込み対象であった単位データについての前記時間管理情報を前記保持手段に保持させ、
前記指令手段から前記解除指令が発行された場合、さらに、前記保持手段に保持されている前記時間管理情報の内容を、前記第１の符号化データと、前記第２のメディアに次に書き込まれる第２の符号化データとのストリームの連続性が保たれるように更新し、前記書込処理の再開の一部として、前記読み書き手段に対して、内容更新後の前記時間管理情報を利用して前記第２の符号化データを前記第２のメディアに書き込む処理を実行させる
請求項１に記載の情報処理装置。
【請求項５】
前記符号化復号手段による前記符号化処理と前記復号処理に利用される前記所定の方式は、MPEG（Moving Picture Experts Group）方式であり、
前記符号化データを構成する複数の前記単位データのそれぞれは、アクセスユニットであり、
前記時間管理情報は、PTS(Presentation Time Stamp)とDTS(Decoding Time Stamp)とのうちの少なくとも一方を含む情報である
請求項４に記載の情報処理装置。
【請求項６】
第１のフォーマットに準拠した第１のメディアと、第２のフォーマットに準拠した第２のメディアとに対するデータの記録と再生を行う情報処理装置の情報処理方法において、
記録用信号が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号を再生用信号として出力する符号化復号手段と、
前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段と、
前記第２のメディアに対するデータの記録指令、前記記録指令に基づくデータの記録の停止指令、前記記録指令に基づくデータの記録の一時停止指令、前記一時停止指令に基づく一時停止の解除指令、および、データの再生指令を発行する指令手段と
を備える前記情報処理装置が実行するステップとして、
前記指令手段から前記記録指令が発行された場合、前記読み書き手段に対して、前記符号化復号手段から出力された前記符号化データを前記第１のメディアと前記第２のメディアとの両者に書き込む書込処理を実行させ、
前記指令手段から前記一時停止指令が発行された場合、前記読み書き手段に対して、前記書込処理の実行の一時停止をさせ、前記情報処理装置自身に対して、前記再生指令の受付を許可させ、
前記指令手段から前記再生指令が発行された場合、前記読み書き手段に対して、その再生指令で指定されている符号化データを前記第１のメディアから読み出して出力する読出処理を実行させ、前記符号化復号手段に対して、前記読み書き手段からの前記符号化データについての前記復号処理を実行させ、
前記指令手段から前記解除指令が発行された場合、前記読み書き手段に対して、前記書込処理の実行を再開させ、
前記指令手段から前記停止指令が発行された場合、前記読み書き手段に対して、前記書込処理の実行を停止させる
ステップを含む情報処理方法。
【請求項７】
第１のフォーマットに準拠した第１のメディアと、第２のフォーマットに準拠した第２のメディアとに対するデータの記録と再生を行う記録再生装置を制御するコンピュータに実行させるプログラムであって、
記録用信号が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号を再生用信号として出力する符号化復号手段と、
前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段と、
前記第２のメディアに対するデータの記録指令、前記記録指令に基づくデータの記録の停止指令、前記記録指令に基づくデータの記録の一時停止指令、前記一時停止指令に基づく一時停止の解除指令、および、データの再生指令を発行する指令手段と
を備える前記記録再生装置を制御するステップとして、
前記指令手段から前記記録指令が発行された場合、前記読み書き手段に対して、前記符号化復号手段から出力された前記符号化データを前記第１のメディアと前記第２のメディアとの両者に書き込む書込処理を実行させ、
前記指令手段から前記一時停止指令が発行された場合、前記読み書き手段に対して、前記書込処理の実行の一時停止をさせ、前記記録再生装置自身に対して、前記再生指令の受付を許可させ、
前記指令手段から前記再生指令が発行された場合、前記読み書き手段に対して、その再生指令で指定されている符号化データを前記第１のメディアから読み出して出力する読出処理を実行させ、前記符号化復号手段に対して、前記読み書き手段からの前記符号化データについての前記復号処理を実行させ、
前記指令手段から前記解除指令が発行された場合、前記読み書き手段に対して、前記書込処理の実行を再開させ、
前記指令手段から前記停止指令が発行された場合、前記読み書き手段に対して、前記書込処理の実行を停止させる
ステップを含むプログラム。
【発明の詳細な説明】
【技術分野】
【０００１】
本発明は、情報処理装置および方法並びにプログラムに関し、特に、フォーマットの制限によらず、記録操作や再生操作に対するユーザの使い勝手を向上させることができる情報処理装置および方法並びにプログラムに関する。
【背景技術】
【０００２】
近年、記録装置が様々な分野に採用されるようになっている。
【０００３】
例えば、映画等のコンテンツの配信分野などでは、そのコンテンツを所定のメディアに記録しまた再生する記録再生装置（例えば特許文献１参照）が採用されている。具体的には例えばDVD（Digital Versatile Disk）にコンテンツを記録し、またDVDからコンテンツを再生する記録再生装置が採用されている。このような記録再生装置は、コンテンツを構成する１つのストリームデータ全体を、１つのタイトルとして記録している。
【０００４】
さらに、このようなタイトルは複数のチャプタに分割可能であり、各チャプタの先頭からの再生が自在に可能となっている
【０００５】
また例えば、医療分野などでは、超音波診断装置により撮影された患者の体内の映像等を所定のメディアに記録しまた再生する記録再生装置が利用されている。記録再生対象のメディアがDVDである場合、この医療分野で採用されている記録再生装置は、例えば記録の開始指示から終了指示までに超音波診断装置により撮影された患者の体内の映像を、１つのタイトルとして記録することがある。また、この医療分野で採用されている記録再生装置は、１つのタイトルの記録中、例えば記録の一時停止指示がある毎に、その時点をインデックスとして登録していき、２つのインデックスで区切られた区間をチャプタとして生成していくこともある。
【特許文献１】特開２００５−３０９２５号公報
【発明の開示】
【発明が解決しようとする課題】
【０００６】
しかしながら、これらの従来の記録再生装置は、CODEC（符号化処理と復号処理とを行う部分）をひとつしか搭載しておらず、このため、符号化処理と復号処理とを同時に実行できないことから、換言すると、符号化処理を伴う記録と、復号処理を伴う再生とを同時に実行できないことから、再生を行なうためには一旦記録を停止し、タイトルとしてクローズする必要がある。その結果、タイトル数が増えてしまい、DVDに記録可能な最大数（例えばDVD-RW Video Format Specificationでは４９個）にすぐに到達してしまう、という第１の問題が発生してしまう。換言すると、１枚のDVDに対するデータ記録量が制限されてしまう、という第１の問題が発生してしまう。
【０００７】
また、同一分野の内容についてのデータは、本来１つのタイトルで記録して管理することが望ましいが、その同一分野の内容についてのデータの記録中に何かしらのデータの再生が行われてしまうと、タイトルが分割されてしまうので、結局複数のタイトルに分割されてしまう、という第２の問題も発生してしまう。
【０００８】
なお、同一分野の内容とは、例えば上述した超音波診断装置に接続された記録再生装置である場合、一人の患者についての診断データ（体内の映像等のデータ）をいう。即ち、この例による第２の問題とは、一人の患者の診断データは、本来１つのタイトルで記録して管理することが望ましいが、その患者の診断データの記録中に、確認等のためにその患者自身又は別の患者の診断データの再生が行われてしまうと、その都度タイトルが分割されてしまう、という問題となる。
【０００９】
これらの２つの問題は、従来の記録再生装置では、記録操作や再生操作に対するユーザの使い勝手が不十分であるという問題に帰結する。この問題は、DVDフォーマットによらず、記録単位として大単位（DVDフォーマットにおけるタイトルに相当）と小単位（DVDフォーマットにおけるチャプタに相当）とが少なくとも規定されているフォーマット全体に発生する問題でもある。
【００１０】
本発明は、このような状況に鑑みてなされたものであり、フォーマットの制限によらず、記録操作や再生操作に対するユーザの使い勝手を向上させるようにするものである。
【課題を解決するための手段】
【００１１】
本発明の一側面の情報処理装置は、第１のフォーマットに準拠した第１のメディアと、第２のフォーマットに準拠した第２のメディアとに対するデータの記録と再生を行う情報処理装置であって、記録用信号が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号を再生用信号として出力する符号化復号手段と、前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段と、前記第２のメディアに対するデータの記録指令、前記記録指令に基づくデータの記録の停止指令、前記記録指令に基づくデータの記録の一時停止指令、前記一時停止指令に基づく一時停止の解除指令、および、データの再生指令を発行する指令手段と、前記指令手段から発行される指令に従って、前記符号化復号手段と前記読み書き手段を制御することで、データの記録と再生を制御する制御手段とを備え、前記制御手段は、前記指令手段から前記記録指令が発行された場合、前記読み書き手段に対して、前記符号化復号手段から出力された前記符号化データを前記第１のメディアと前記第２のメディアとの両者に書き込む書込処理を実行させ、前記指令手段から前記一時停止指令が発行された場合、前記読み書き手段に対して、前記書込処理の実行の一時停止をさせ、前記制御手段自身に対して、前記再生指令の受付を許可させ、前記指令手段から前記再生指令が発行された場合、前記読み書き手段に対して、その再生指令で指定されている符号化データを前記第１のメディアから読み出して出力する読出処理を実行させ、前記符号化復号手段に対して、前記読み書き手段からの前記符号化データについての前記復号処理を実行させ、前記指令手段から前記解除指令が発行された場合、前記読み書き手段に対して、前記書込処理の実行を再開させ、前記指令手段から前記停止指令が発行された場合、前記読み書き手段に対して、前記書込処理の実行を停止させる。
【００１２】
前記第２のフォーマットでは、前記符号化データの記録単位として大単位と小単位とが少なくとも規定されており、前記制御手段は、前記指令手段から前記記録指令が発行された場合、前記書込処理の一部として、前記読み書き手段に対して、所定の大単位に属する第１の小単位に前記符号化データを含めるように前記第２のメディアに書き込む処理を実行させ、前記指令手段から前記一時停止指令が発行された場合、前記読み書き手段に対して、前記第１の小単位の書き込みの終了をさせて、前記書込処理の実行を一時停止させ、前記指令手段から前記解除指令が発行された場合、前記書込処理の再開の一部として、前記読み書き手段に対して、前記所定の大単位に属する第２の小単位に前記符号化データを含めるように前記第２のメディアに書き込む処理を実行させ、前記指令手段から前記停止指令が発行された場合、前記読み書き手段に対して、前記書込処理の実行を停止させることで、前記所定の大単位の書き込みの終了をさせることができる。
【００１３】
前記第２のフォーマットは、前記大単位としてタイトルが規定され、かつ、前記小単位としてチャプタが規定されているDVD（Digital Versatile Disk）フォーマットであり、前記第２のメディアはDVDであることができる。
【００１４】
前記符号化データは、複数の単位データから構成されるストリームデータであって、前記読み書き手段は、前記符号化復号手段から出力された前記符号化データを、それを構成する複数の前記単位データのそれぞれについての各時間管理情報とともに、少なくとも前記第２のメディアに書き込み、前記情報処理装置は、前記時間管理情報を保持する保持手段をさらに備え、前記制御手段は、前記指令手段から前記一時停止指令が発行された場合、さらに、前記第２のメディアに書き込まれている第１の符号化データを構成する複数の前記単位データのうちの、その一時停止指令が発行された時点に書き込み対象であった単位データについての前記時間管理情報を前記保持手段に保持させ、前記指令手段から前記解除指令が発行された場合、さらに、前記保持手段に保持されている前記時間管理情報の内容を、前記第１の符号化データと、前記第２のメディアに次に書き込まれる第２の符号化データとのストリームの連続性が保たれるように更新し、前記書込処理の再開の一部として、前記読み書き手段に対して、内容更新後の前記時間管理情報を利用して前記第２の符号化データを前記第２のメディアに書き込む処理を実行させることができる。
【００１５】
前記符号化復号手段による前記符号化処理と前記復号処理に利用される前記所定の方式は、MPEG（Moving Picture Experts Group）方式であり、前記符号化データを構成する複数の前記単位データのそれぞれは、アクセスユニットであり、前記時間管理情報は、PTS(Presentation Time Stamp)とDTS(Decoding Time Stamp)とのうちの少なくとも一方を含む情報であることができる。
【００１６】
本発明の一側面の情報処理方法は、第１のフォーマットに準拠した第１のメディアと、第２のフォーマットに準拠した第２のメディアとに対するデータの記録と再生を行う情報処理装置の情報処理方法であって、記録用信号が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号を再生用信号として出力する符号化復号手段と、前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段と、前記第２のメディアに対するデータの記録指令、前記記録指令に基づくデータの記録の停止指令、前記記録指令に基づくデータの記録の一時停止指令、前記一時停止指令に基づく一時停止の解除指令、および、データの再生指令を発行する指令手段とを備える情報処理装置が実行するステップとして、前記指令手段から前記記録指令が発行された場合、前記読み書き手段に対して、前記符号化復号手段から出力された前記符号化データを前記第１のメディアと前記第２のメディアとの両者に書き込む書込処理を実行させ、前記指令手段から前記一時停止指令が発行された場合、前記読み書き手段に対して、前記書込処理の実行の一時停止をさせ、前記情報処理装置自身に対して、前記再生指令の受付を許可させ、前記指令手段から前記再生指令が発行された場合、前記読み書き手段に対して、その再生指令で指定されている符号化データを前記第１のメディアから読み出して出力する読出処理を実行させ、前記符号化復号手段に対して、前記読み書き手段からの前記符号化データについての前記復号処理を実行させ、前記指令手段から前記解除指令が発行された場合、前記読み書き手段に対して、前記書込処理の実行を再開させ、前記指令手段から前記停止指令が発行された場合、前記読み書き手段に対して、前記書込処理の実行を停止させるステップを含む。
【００１７】
本発明の一側面のプログラムは、上述した本発明の一側面の情報処理方法に対応するプログラムである。
【００１８】
本発明の一側面の情報処理装置および方法、並びに、プログラムにおいては、第１のフォーマットに準拠した第１のメディアと、第２のフォーマットに準拠した第２のメディアとに対するデータの記録と再生を行う情報処理装置／記録再生装置が対象となる。詳細には、記録用信号が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号を再生用信号として出力する符号化復号手段と、前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段と、前記第２のメディアに対するデータの記録指令、前記記録指令に基づくデータの記録の停止指令、前記記録指令に基づくデータの記録の一時停止指令、前記一時停止指令に基づく一時停止の解除指令、および、データの再生指令を発行する指令手段とを備える情報処理装置／記録再生装置が対象となる。かかる情報処理装置／記録再生装置において、前記指令手段から前記記録指令が発行された場合、前記読み書き手段により、前記符号化復号手段から出力された前記符号化データを前記第１のメディアと前記第２のメディアとの両者に書き込む書込処理が実行され、前記指令手段から前記一時停止指令が発行された場合、前記読み書き手段により、前記書込処理の実行の一時停止がなされ、前記情報処理装置／前記記録再生装置に対して、前記再生指令の受付が許可され、前記指令手段から前記再生指令が発行された場合、前記読み書き手段により、その再生指令で指定されている符号化データを前記第１のメディアから読み出して出力する読出処理が実行され、前記符号化復号手段により、前記読み書き手段からの前記符号化データについての前記復号処理が実行され、前記指令手段から前記解除指令が発行された場合、前記読み書き手段により、前記書込処理の実行が再開され、前記指令手段から前記停止指令が発行された場合、前記読み書き手段による前記書込処理の実行が停止される。
【００１９】
メディアは、情報処理装置に内蔵されたメディアであってもよいし、リムーバブルなメディアであってもよい。
【発明の効果】
【００２０】
以上のごとく、本発明によれば、所定のフォーマット（第１のフォーマットや第２のフォーマット）に従って、所定のメディア（第１のメディアや第２のメディア）にデータを記録したり再生させることができる。特に、そのフォーマットの制限によらず、記録操作や再生操作（各種指令を発行させるための操作等）に対するユーザの使い勝手を向上させることができる。
【発明を実施するための最良の形態】
【００２１】
以下に本発明の実施の形態を説明するが、請求項に記載の構成要件と、明細書又は図面における具体例との対応関係を例示すると、次のようになる。この記載は、請求項に記載されている発明をサポートする具体例が、明細書又は図面に記載されていることを確認するためのものである。従って、明細書又は図面中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２２】
さらに、この記載は、明細書又は図面に記載されている具体例に対応する発明が、請求項に全て記載されていることを意味するものではない。換言すれば、この記載は、明細書又は図面に記載されている具体例に対応する発明であって、この出願の請求項には記載されていない発明の存在、すなわち、将来、分割出願されたり、補正により追加される発明の存在を否定するものではない。
【００２３】
本発明の一側面の情報処理装置（例えば図１の記録再生装置）は、
第１のフォーマットに準拠した第１のメディア（例えば図１のＨＤＤ１２）と、第２のフォーマットに準拠した第２のメディア（例えば図１のＤＶＤ３１）とに対するデータの記録と再生を行う情報処理装置であって、
記録用信号（例えば図１のデジタルのビデオ信号Ｖやオーディオ信号Ａ）が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号（例えば図１のデジタルのビデオ信号Ｖやオーディオ信号Ａ）を再生用信号として出力する符号化復号手段（例えば図１のエンコーダ／デコーダ１０）と、
前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段（例えば図１の読み書き制御部１１）と、
前記第２のメディアに対するデータの記録指令（図３のステップＳ１でいう記録開始指示操作に対応する指令）、前記記録指令に基づくデータの記録の停止指令（図３のステップＳ５でいう記録終了指示操作に対応する指令）、前記記録指令に基づくデータの記録の一時停止指令（図３のステップＳ７でいう記録一時停止指示操作に対応する指令）、前記一時停止指令に基づく一時停止の解除指令（図３のステップＳ１１でいう記録一時停止解除指示操作に対応する指令）、および、データの再生指令（図３のステップＳ９でいう再生指示操作に対応する指令）を発行する指令手段（例えば図１の操作部５）と、
前記指令手段から発行される指令に従って、前記符号化復号手段と前記読み書き手段を制御することで、データの記録と再生を制御する制御手段（例えば図１のＣＰＵ１）と
を備え、
前記制御手段は、
前記指令手段から前記記録指令が発行された場合（例えば、図３のステップＳ１  ＹＥＳの場合）、前記読み書き手段に対して、前記符号化復号手段から出力された前記符号化データを前記第１のメディアと前記第２のメディアとの両者に書き込む書込処理を実行させ（例えば、図３のステップＳ４の処理を実行し）、
前記指令手段から前記一時停止指令が発行された場合（例えば、図３のステップＳ７  ＹＥＳの場合）、前記読み書き手段に対して、前記書込処理の実行の一時停止をさせ、前記制御手段自身に対して、前記再生指令の受付を許可させ（例えば、図３のステップＳ８、Ｓ９ＮＯ、Ｓ１１ＮＯのループ処理を繰り返し実行し）、
前記指令手段から前記再生指令が発行された場合（例えば、図３のステップＳ９  ＹＥＳの場合）、前記読み書き手段に対して、その再生指令で指定されている符号化データを前記第１のメディアから読み出して出力する読出処理を実行させ、前記符号化復号手段に対して、前記読み書き手段からの前記符号化データについての前記復号処理を実行させ（例えば、図３のステップＳ１０の処理を実行し）、
前記指令手段から前記解除指令が発行された場合（例えば、図３のステップＳ１１  ＹＥＳ）、前記読み書き手段に対して、前記書込処理の実行を再開させ（例えば、図３のステップＳ１２，Ｓ１３の処理を実行後、ステップＳ４の処理を実行し）、
前記指令手段から前記停止指令が発行された場合（例えば、図３のステップＳ５  ＹＥＳの場合）、前記読み書き手段に対して、前記書込処理の実行を停止させる（例えば、図３のステップＳ６の処理を実行後、記録処理を終了させる）。
【００２４】
前記第２のフォーマットでは、前記符号化データの記録単位として大単位（例えば図２のタイトル）と小単位（例えば図２のチャプタ）とが少なくとも規定されており、
前記制御手段は、
前記指令手段から前記記録指令が発行された場合、前記書込処理の一部として、前記読み書き手段に対して、所定の大単位に属する第１の小単位に前記符号化データを含めるように前記第２のメディアに書き込む処理を実行させ（例えば、図４の記録開始指示操作から記録一時停止指示操作までの間のように、チャプタ１の記録を行わせ）、
前記指令手段から前記一時停止指令が発行された場合、前記読み書き手段に対して、前記第１の小単位の書き込みの終了をさせて、前記書込処理の実行を一時停止させ（例えば、図４の記録一時停止指示操作から再生指示操作までの間参照）、
前記指令手段から前記解除指令が発行された場合、前記書込処理の再開の一部として、前記読み書き手段に対して、前記所定の大単位に属する第２の小単位に前記符号化データを含めるように前記第２のメディアに書き込む処理を実行させ（例えば、図４の再生指示操作から記録一時停止解除指示操作までの間参照）、
前記指令手段から前記停止指令が発行された場合、前記読み書き手段に対して、前記書込処理の実行を停止させる（例えば、図３のステップＳ６の処理を実行する）
ことで、前記所定の大単位の書き込みの終了をさせる。
【００２５】
前記符号化データは、複数の単位データから構成されるストリームデータであって、
前記読み書き手段は、前記符号化復号手段から出力された前記符号化データを、それを構成する複数の前記単位データのそれぞれについての各時間管理情報とともに、少なくとも前記第２のメディアに書き込み、
前記情報処理装置は、前記時間管理情報を保持する保持手段（例えば図１のＳＤＲＡＭ１５等）をさらに備え、
前記制御手段は、
前記指令手段から前記一時停止指令が発行された場合、さらに、前記第２のメディアに書き込まれている第１の符号化データを構成する複数の前記単位データのうちの、その一時停止指令が発行された時点に書き込み対象であった単位データについての前記時間管理情報を前記保持手段に保持させ（例えば図３のステップＳ８の処理を実行し）、
前記指令手段から前記解除指令が発行された場合、さらに、前記保持手段に保持されている前記時間管理情報の内容を、前記第１の符号化データと、前記第２のメディアに次に書き込まれる第２の符号化データとのストリームの連続性が保たれるように更新し（例えば、図３のステップＳ１１の処理を実行し）、前記書込処理の再開の一部として、前記読み書き手段に対して、内容更新後の前記時間管理情報を利用して前記第２の符号化データを前記第２のメディアに書き込む処理を実行させる。
【００２６】
本発明の一側面の情報処理方法（例えば図３の記録処理に対応する方法）は、
第１のフォーマットに準拠した第１のメディア（例えば図１のＨＤＤ１２）と、第２のフォーマットに準拠した第２のメディア（例えば図１のＤＶＤ３１）とに対するデータの記録と再生を行う情報処理装置（例えば図１の記録再生装置）の情報処理方法であって、
記録用信号（例えば図１のデジタルのビデオ信号Ｖやオーディオ信号Ａ）が提供された場合には、その記録用信号に対して、所定の方式に従った符号化処理を施し、その結果得られる符号化データを出力し、符号化データが提供された場合には、その符号化データに対して、前記所定の方式に従った復号処理を施し、その結果得られる信号（例えば図１のデジタルのビデオ信号Ｖやオーディオ信号Ａ）を再生用信号として出力する符号化復号手段（例えば図１のエンコーダ／デコーダ１０）と、
前記符号化復号手段から出力された前記符号化データを前記第１のメディアと前記第２のメディアとのうちの少なくとも一方に書き込み、前記第１のメディアまたは前記第２のメディアから符号化データを読み出して前記符号化復号手段に提供する読み書き手段（例えば図１の読み書き制御部１１）と、
前記第２のメディアに対するデータの記録指令（図３のステップＳ１でいう記録開始指示操作に対応する指令）、前記記録指令に基づくデータの記録の停止指令（図３のステップＳ５でいう記録終了指示操作に対応する指令）、前記記録指令に基づくデータの記録の一時停止指令（図３のステップＳ７でいう記録一時停止指示操作に対応する指令）、前記一時停止指令に基づく一時停止の解除指令（図３のステップＳ１１でいう記録一時停止解除指示操作に対応する指令）、および、データの再生指令（図３のステップＳ９でいう再生指示操作に対応する指令）を発行する指令手段（例えば図１の操作部５）と
を備える前記情報処理装置が実行するステップとして、
前記指令手段から前記記録指令が発行された場合（例えば、図３のステップＳ１  ＹＥＳの場合）、前記読み書き手段に対して、前記符号化復号手段から出力された前記符号化データを前記第１のメディアと前記第２のメディアとの両者に書き込む書込処理を実行させ（例えば、図３のステップＳ４）、
前記指令手段から前記一時停止指令が発行された場合（例えば、図３のステップＳ７  ＹＥＳの場合）、前記読み書き手段に対して、前記書込処理の実行の一時停止をさせ、前記情報処理装置自身に対して、前記再生指令の受付を許可させ（例えば、図３のステップＳ８、Ｓ９ＮＯ、Ｓ１１ＮＯのループ処理）、
前記指令手段から前記再生指令が発行された場合（例えば、図３のステップＳ９  ＹＥＳの場合）、前記読み書き手段に対して、その再生指令で指定されている符号化データを前記第１のメディアから読み出して出力する読出処理を実行させ、前記符号化復号手段に対して、前記読み書き手段からの前記符号化データについての前記復号処理を実行させ（例えば、図３のステップＳ１０）、
前記指令手段から前記解除指令が発行された場合（例えば、図３のステップＳ１１  ＹＥＳ）、前記読み書き手段に対して、前記書込処理の実行を再開させ（例えば、図３のステップＳ１２，Ｓ１３の後のステップＳ４）、
前記指令手段から前記停止指令が発行された場合（例えば、図３のステップＳ５  ＹＥＳの場合）、前記読み書き手段に対して、前記書込処理の実行を停止させる（例えば、図３のステップＳ６後の処理終了）
ステップを含む。
【００２７】
本発明の一側面のプログラムは、上述した本発明の一側面の情報処理方法に対応するプログラムであって、例えば、図１のCPU１を有するコンピュータにより実行される。
【００２８】
以下、図面を参照して、本発明の実施の形態について説明する。
【００２９】
図１は、本発明を適用した情報処理装置としての記録再生装置のハードウエア構成例を示す図である。
【００３０】
図１の例の記録再生装置において、CPU（Central Processing Unit）１は、FLASHメモリ２からSDRAM(Synchronous Dynamic Random Access Memory)３にロードされた各種プログラムに従った各種処理を実行する。これにより、記録再生装置全体の動作が制御されることになる。SDRAM３にはまた、CPU１が各種の処理を実行する上において必要なデータなども適宜記憶される。
【００３１】
CPU１にはまた、制御信号入出力制御部４が接続されている。制御信号入出力制御部４は、例えばマイクロコンピュータとして構成され、CPU１の他、操作部５、232C用インタフェース部６、USB用インタフェース部７、および表示部８等の各ブロック間での各種制御信号の授受を制御する。
【００３２】
操作部５は、キー群、電源スイッチ、フットスイッチ等の各種入力機器で構成される。即ち、ユーザは、操作部５を操作することで、各種指令や各種情報を、この記録再生装置に入力させることができる。換言すると、操作部５は、ユーザの操作内容に対応する制御信号を、制御信号入出力制御部４を介してCPU１等に供給することができる。
【００３３】
具体的には例えば本実施の形態では、操作部５には、DVD３１に対する記録や再生の指示操作をユーザが行うためのボタンであって、その指示操作に対応する指令をCPU１に対して発行するボタンとして、次のようなボタンが少なくとも設けられている。即ち、再生開始指示操作を行うための「再生ボタン」、記録開始指示操作を行うための「記録ボタン」（ただし、記録開始指示操作を実際に行うためには、「再生ボタン」と「記録ボタン」の同時押下操作が必要であるとする）、再生または記録の一時停止指示操作を行うための「一時停止ボタン」、および、再生または記録の終了指示操作を行うための「停止ボタン」が、操作部５に少なくとも設けられている。なお、「少なくとも」と記述したのは、その他、早送り、巻き戻し、変速（高速や低速）再生等様々な指示操作を行うためのボタンが、操作部５にさらに設けられることが多々あるからである。
【００３４】
232C用インタフェース部６には、専用のRS-232Cケーブルを介して例えば図示せぬ外部装置が接続される。即ち、232C用インタフェース部６は、外部装置とCPU1等との間でRS-232Cの規格に従って送受信される各種情報（制御信号）の中継を行う。USB(Universal Serial Bus)用インタフェース部７には、専用のUSBケーブルを介して例えば外部装置が接続される。即ち、USB用インタフェース部７は、外部装置とCPU１等との間でUSBの規格に従って送受信される各種情報（制御信号）の中継を行う。
【００３５】
即ち、図１の例では、外部装置は、232C用インタフェース部６、USB用インタフェース部７、または後述するi.LINK用インタフェース部２１を介して図１の記録再生装置と通信を行うことができる。具体的には例えば、外部装置は、所定のコマンド等の制御信号を図１の記録再生装置に送信することで、図１の記録再生装置の各種動作を制御することができる。
【００３６】
表示部８は、例えばフロントパネルディスプレイとして構成され、この記録再生装置に関する各種情報、即ち、CPU１等から制御信号入出力制御部４を介して供給される各種制御信号に対応する各種情報を表示する。
【００３７】
ところで、CPU１、FLASHメモリ２、およびSDRAM３は、バス９を介して相互に接続されている。このバス９にはまた、エンコーダ/デコーダ１０および読み書き制御部１１が接続されている。
【００３８】
エンコーダ/デコーダ１０は、CPU１の制御に基づいて、後述する切替部２２から供給されるデジタルの映像信号Vと、後述する切替部２３から供給されるデジタルの音声信号Aとを記録用信号として入力し、その記録用信号をエンコード（圧縮符号化）した上で、読み書き制御部１１に供給する。この場合、エンコーダ/デコーダ１０は、所定の符号化単位でエンコード（圧縮符号化）する符号化方式、例えばアクセスユニット単位でエンコードするMPEG（Moving Picture Experts Group）方式を利用する。なお、以下、エンコーダ/デコーダ１０から出力されるエンコード済みの映像データや音声データをまとめて、圧縮コンテンツデータと称する。
【００３９】
エンコーダ/デコーダ１０はまた、CPU１の制御に基づいて、後述する読み書き制御部１１から供給される圧縮コンテンツデータを、上述した符号化方式に対応する復号方式（MPEG方式等）でデコード（伸張復号）し、その結果得られる信号を再生用信号として、再生用信号のうちの、デジタルの映像信号VをD/A変換部１９に供給し、デジタルの音声信号AをD/A変換部２０に供給する。
【００４０】
エンコーダ/デコーダ１０には、SDRAM１４が接続されている。SDRAM１４は、エンコーダ/デコーダ１０が上述した処理等を実行する上において必要なデータなどを適宜記憶する。
【００４１】
読み書き制御部１１は、CPU１の制御に基づいて、HDD１２、またはドライブ１３に装着されたDVD（Digital Versatile Disk）３１に対する各種データの読み書きを制御する。
【００４２】
例えば、本実施の形態では、エンコーダ/デコーダ１０から圧縮コンテンツデータが供給されてきた場合、読み書き制御部１１は、最初に、その圧縮コンテンツデータを記録用データとしてHDD１２に記録する（書き込む）。次に、読み書き制御部１１は、HDD１２に記録された記録用データを読み出して、ドライブ１３に装着されたDVD３１に記録する（書き込む）。
【００４３】
なお、本実施の形態では、記録用データは、HDD１２に記録された後にDVD３１に記録される。ただし、必要に応じて、記録用データを、HDD１２とDVD３１とに並列的に（それぞれ独立してほぼ同一タイミングで）記録させてもよい。
【００４４】
また、例えば、読み書き制御部１１は、HDD１２、またはドライブ１３に装着されたDVD３１に記録されたデータ（圧縮コンテンツデータや各種管理情報等）を読み出し、必要に応じて、読み出したデータをエンコーダ/デコーダ１０等の他のブロックに供給する。
【００４５】
読み書き制御部１１には、SDRAM１５が接続されている。SDRAM１５は、読み書き制御部１１が上述した処理等を実行する上において必要なデータなどを適宜記憶する。具体的には例えば本実施の形態では、後述する時間管理情報等がSDRAM１５に適宜記憶される。
【００４６】
AV信号用インタフェース部１６には、各種ケーブルを介して外部装置が接続される。例えば外部装置から供給されたアナログの映像信号V（具体的には例えば、外部装置が上述した超音波診断装置の場合には、患者の体内映像に対応する映像信号V等）は、AV信号用インタフェース部１６を介してA/D変換部１７に供給される。また、外部装置から供給されたアナログの音声信号Aは、AV信号用インタフェース部１６を介してA/D変換部１８に供給される。一方、エンコーダ/デコーダ１０からD/A変換部１９を介して供給されてきたアナログの映像信号V、および、エンコーダ/デコーダ１０からD/A変換部２０を介して供給されてきたアナログの音声信号Aのそれぞれは、AV信号用インタフェース部１６を介して外部装置（具体的に例えばモニタ等）に供給される。
【００４７】
i.LINK用インタフェース部２１には、専用のi.Linkケーブルを介して例えば外部装置が接続される。i.LINKとは、本出願人であるソニー株式会社の商標であり、IEEE（Institute of Electrical and Electronics Engineers）1394の高速デジタルシリアルインターフェースである。従って、i.LINK用インタフェース部２１は、外部装置とCPU１との間や、外部装置とエンコーダ/デコーダ１０との間等で、IEEE1394の規格に従って送受信される各種情報（映像信号、音声信号、制御信号等）の中継を行う。即ち、i.LINK用インタフェース部２１は、外部装置から制御信号（コマンド等）が供給されてきた場合、その制御信号をCPU１に供給する。一方、i.LINK用インタフェース部２１は、外部装置から映像信号Vが供給されてきた場合、その映像信号Vを適切な形態の信号（本実施の形態では、A/D変換部１７から出力されるデジタルの映像信号Vと同様の形態の信号）に変換した上で切替部２２に供給する。また、i.LINK用インタフェース部２１は、外部装置から音声信号Aが供給されてきた場合、その音声信号Aを適切な形態の信号（本実施の形態では、A/D変換部１８から出力されるデジタルの音声信号Aと同様の形態の信号）に変換した上で切替部２３に供給する。
【００４８】
切替部２２は、その入力端を切り替え、切り替えた入力端に入力されるデジタルの映像信号Vをエンコーダ/デコーダ１０に供給する。即ち、切替部２２は、i.LINK用インタフェース部２１からのデジタルの映像信号Vを入力する入力端と、A/D変換部１７からのデジタルの映像信号Vを入力する入力端とのうちの何れか一方を選択し、選択した方の入力端に入力されるデジタルの映像信号Vをエンコーダ/デコーダ１０に供給する。
【００４９】
切替部２３は、その入力端を切り替え、切り替えた入力端に入力されるデジタルの音声信号Aをエンコーダ/デコーダ１０に供給する。即ち、切替部２３は、i.LINK用インタフェース部２１からのデジタルの音声信号Aを入力する入力端と、A/D変換部１８からのデジタルの音声信号Aを入力する入力端とのうちの何れか一方を選択し、選択した方の入力端に入力されるデジタルの音声信号Aをエンコーダ/デコーダ１０に供給する。
【００５０】
電源部２４は、この図１の記録再生装置を構成する上述した各ブロックに、必要な電源を供給する。なお、図１では、電源部２４が記録再生装置を構成する各ブロックのそれぞれに電源を供給することを表す各種線は、図が煩雑になるため、まとめて１つの白抜き矢印として図示されている。
【００５１】
なお、図示はしないが、ドライブ１３は、DVD３１に加えてさらに、磁気ディスク、光ディスク、光磁気ディスク、或いは半導体メモリなどのリムーバブル記録媒体が適宜装着されるように構成することも可能である。この場合、このリムーバブル記録媒体が読み書き制御部１１の制御対象になる。即ち、このリムーバブル記録媒体に上述した記録用データ等が記録される。また、このリムーバブル記録媒体にコンピュータプログラムが記録されている場合、このリムーバブル記録媒体からドライブ１３を介して読み出されたコンピュータプログラムが、必要に応じてHDD１２等のメモリにインストールされる。
【００５２】
換言すると、記録用データが読み書きされるメディア、即ち、読み書き制御部１１の制御対象のメディアの種類は、図１の例ではHDD１２とDVD３１とされたが、図１の例に特に限定されず任意の種類のメディアでよい。
【００５３】
また、記録再生装置のハードウエア構成自体も、図１の例に限定されず、後述する図３の記録処理を実行可能な機能的構成を少なくとも有していれば任意のハードウエア構成でよい。
【００５４】
また、この記録再生装置に接続される外部装置の種類や台数は特に限定されない。
【００５５】
ところで、図１の例の記録再生装置は、記録用データ（エンコーダ/デコーダ１０からの圧縮コンテンツデータ）をDVD３１に記録させる場合、図２に示されるように、タイトルを大単位として、かつ、チャプタを小単位として、その記録用データをDVD３１に記録させる。
【００５６】
タイトルとは、本実施の形態では、記録開始指示操作がなされてから、記録終了指示操作がなされるまの区間を言う。また、チャプタとは、２つのインデックス（図２中「＊」で示されている）で区切られた区間を言う。
【００５７】
例えば、本実施の形態では、ユーザは、外部装置または操作部５による所定の指示操作を行うことで、連続して記録される記録用データ（ストリーム）中の所望の箇所（例えば、所望の画像に対応する箇所等）に目印となるインデックスをつけることができる。また、ユーザは、所定の登録操作を行うことで、記録再生装置がインデックスを自動的につけていく（例えば所定の時間間隔毎にインデックスをつけていく）ような設定をすることができる。
【００５８】
ただし、以下の説明においては、上述した「再生ボタン」と「記録ボタン」の同時押下による記録開始指示操作がなされると（後述する図３のステップＳ１ＹＥＳ）、所定のタイトルについてのデータ記録が開始され、その開始点にインデックスがつけられるとする。
【００５９】
さらに、その所定のタイトルについてのデータ記録中に、上述した「一時停止ボタン」の押下による記録一時停止指示操作がなされ（後述する図３のステップＳ７ＹＥＳ）、その後、その「一時停止ボタン」の押下状態の解除による記録一時停止解除指示操作（後述する図３のステップＳ１１ＹＥＳ）がなされると、その所定のタイトルについてのデータ記録が再開され、その再開始点にインデックスがつけられるとする。
【００６０】
即ち、以下においては、記録開始指示操作と次の記録一時停止指示操作若しくは記録終了指示操作（上述した停止ボタンの押下操作）との間の区間、または、記録一時停止指示操作（記録一時停止解除指示操作）と次の記録一時停止指示操作（記録一時停止解除指示操作）との間の区間が、１つのチャプタとして形成されることになる。
【００６１】
具体的には例えば図２の例では、最初の記録開始指示操作がなされると、タイトル１についてのデータ記録が開始され、その開始点にインデックス（図２中では「＊」）がつけられる。即ち、タイトル１のチャプタ１についてのデータ記録が開始される。その後、タイトル１のチャプタ１についてのデータ記録中に記録一時停止指示操作がなされると、チャプタ１についてのデータ記録が終了する。即ち、この間の区間がチャプタ１になる。
【００６２】
その後、記録一時停止解除指示操作がなされると、今度は、その時点から、チャプタ２についてのデータ記録が開始され、その開始点にインデックスがつけられる。そして、次の記録一時停止指示操作がなされると、チャプタ２についてのデータ記録が終了する。即ち、この間の区間がチャプタ２になる。
【００６３】
その後、記録一時停止解除指示操作がなされると、今度は、その時点から、チャプタ３についてのデータ記録が開始され、その開始点にインデックスがつけられる。そして、次に停止指示操作がなされると、タイトル１についてのデータ記録が終了する。即ち、この間の区間がチャプタ３になる。
【００６４】
その後、次の記録開始指示操作がなされると、タイトル２についてのデータ記録が開始され、その開始点にインデックスがつけられる。即ち、タイトル２のチャプタ１についてのデータ記録が開始される。
【００６５】
その後の過程は、上述した過程と同様の繰り返しになるので、その説明については省略する。
【００６６】
このようにして各タイトルおよび各タイトル毎にDVD３１へのデータ記録が行われた場合、ユーザは、操作部５の再生指示操作等を行うことで、インデックスが付けられた箇所（各チャプタの先頭）から瞬時に再生させたり、インデックス間（チャプタ）を繰り返して再生させることが容易に可能となる。
【００６７】
なお、本実施の形態ではDVDのフォーマットに従って、１枚のDVD３１には最大２５４個のインデックスを付与することが可能とされており、また、１つのタイトルには最大９９個のインデックスを付与することが可能とされている。即ち、１枚のDVDに記録可能なチャプタ数は、最大で２５４個（ただし、１つのタイトル内に最大で９９個）とされている。
【００６８】
一方、１枚のDVD３１に記録できるタイトル数は、本実施の形態ではDVDのフォーマットに従って、最大で４９個とされている。
【００６９】
このようにタイトルの記録可能数が制限されているので、「発明が解決しようとする課題」で上述した第１の問題が発生してしまう。即ち、CODECを一つしか持たない従来のDVDシステムでは、記録と再生とを同時に行なうことができないことから、再生を行なうためには一旦記録を停止し、タイトルとしてクローズする必要がある。その結果、タイトル数が増えてしまい、DVD３１に記録可能な最大数４９個にすぐに到達してしまう、という第１の問題が発生してしまう。換言すると、１枚のDVD３１に対するデータ記録量が制限されてしまう、という第１の問題が発生してしまう。
【００７０】
また、同一分野の内容についてのデータは、本来１つのタイトルで記録して管理することが望ましいが、その同一分野の内容についてのデータの記録中に何かしらのデータの再生が行われてしまうと、その都度タイトルが分割されてしまう、という第２の問題も発生してしまう。
【００７１】
そこで、このような第１および第２の問題を解決すべく、図１の記録再生装置は、記録一時停止指示操作により記録一時停止状態になっているときには、再生開始指示操作を含む再生関連の各種指示操作（以下、これらをまとめて再生指示操作と称する）を受け付け、再生指示操作に従った再生動作を行うことができるように構成されている。ここに、記録一時停止状態の再生動作とは、読み書き制御部１１が、DVD３１の方ではなくHDD１２の方から圧縮コンテンツデータを読み出し、エンコーダ／デコーダ１０が、その圧縮コンテンツデータを例えばMPEG方式でデコード（伸張復号）するまでの一連の処理を少なくとも含む動作をいう。
【００７２】
換言すると、図１の記録再生装置は、DVD３１へのデータ記録時にはHDD１２をバッファとして利用するが、記録一時停止状態の再生動作を行う時には、HDD１２にバッファリングされているデータを再生データとして利用する。
【００７３】
この場合、図１の記録再生装置は、記録一時停止状態の再生動作を行うときには、タイトルを終了させずチャプタを切るのみなので、上述した第１および第２の問題を解決できる。
【００７４】
即ち、上述したように、１枚のDVDに記録可能なチャプタ数は、１枚のDVDに記録可能なタイトル数と比較すると遥かに多い。従って、データ記録中の再生回数という制限が緩和されので、第１の問題を解決できる。
【００７５】
また、データ記録中に、その記録対象データ（ストリームデータ）についての記録一時停止指示操作と、その後の、何かしらのデータの再生指示操作とが繰り返し行われるような場合でも、その記録対象データは、従来のように複数のタイトルに分割されて記録されるのでなく、複数のチャプタで構成される1つのタイトルとして記録されるので、第２の問題を解決できる。
【００７６】
具体的には例えば、図１の記録再生装置に外部装置として超音波診断装置が接続されている場合には、一人の患者についての診断データ（体内の映像等のデータ）をDVD３１に記録させている最中に、ユーザは、記録一時停止指示操作を行うことで、次の記録一時停止解除指示操作を行うまでの間、その患者自身又は別の患者の診断データの再生を自在に行わせることができる。さらに、この間は、タイトルはクローズされていないため、ユーザが、次の記録一時停止解除指示操作を行うと、同一患者についての新たな診断データ（体内の映像等のデータ）を、同一タイトルの次のチャプタとしてDVD３１に記録させることができるようになる。即ち、一人の患者の診断データのDVD３１への記録中に、その患者自身または別の患者の診断データの再生を何度か繰り返したとしても、その患者の診断データは全て、同一タイトルとしてDVD３１に記録させることができるようになる。
【００７７】
ただし、記録一時停止状態の再生動作を実現するためには、その再生動作後に一時停止状態解除動作がなされてDVD３１への記録が再開された時において、その記録再開後のデータと、DVD３１に記録済みのデータとの連続性を保つこと、即ち、記録再開後のデータと、DVD３１に記録済みのデータとをひとつのストリームとして記録することが必要となる。そこで本実施の形態では、図１の記録再生装置は、次のような処理を実行するように構成されている。
【００７８】
即ち、記録再生装置は、記録用信号（映像信号Vや音声信号A)を圧縮コンテンツデータ（ストリームデータ）としてDVD３１に記録する場合、そのストリームデータを構成する各部分についての各時間管理情報もDVD３１に併せて記録する。
【００７９】
ここに、所定の部分についての時間管理情報とは、所定の部分についての所定の再生動作が行われるべき時刻（所定の基準時刻に対する相対時刻）をいう。所定の再生動作が行われるべき時刻とは、例えば、所定の部分の表示時刻や、所定の部分の復号時刻等をいう。より具体的には、MPEG方式の圧縮コンテンツデータがDVD３１に記録される場合、所定の部分とはアクセスユニットを指すので、アクセスユニットの表示時刻を示すPTS(Presentation Time Stamp)や、アクセスユニットの復号時刻を示すDTS(Decoding Time Stamp)が、時間管理情報の一例である。アクセスユニットとは、圧縮コンテンツデータを構成する符号化単位をいい、例えばMPEGビデオ（映像信号VがMPEG方式により圧縮符号化された結果得られるエレメンタリーストリーム）ではピクチャをいい、MPEGオーディオ（音声信号AがMPEG方式により圧縮符号化された結果得られるエレメンタリーストリーム）ではオーディオフレームをいう。
【００８０】
この場合、記録再生装置は、第１のストリームデータのDVD３１への記録を行っている最中、第１のストリームデータを構成する各部分のうちの、記録対象の部分についての時間管理情報を例えばSDRAM１５等に記憶する。即ち、SDRAM１５等においては、記録対象の部分が更新される毎に、時間管理情報の内容が書き換えられていく。
【００８１】
そして、記録一時停止指示操作がなされた場合、記録再生装置は、その時点の記録対象の部分についての時間管理情報を、次の記録一時停止解除指示操作がなされるまでSDRAM１５等に保持させておく。
【００８２】
その後、記録一時停止解除指示操作がなされて、第２のストリームデータが記録対象となって、DVD３１への記録が再開される場合、第１のストリームデータと第２のストリームデータとの連続性が保たれるように（１つのストリームデータとなるように）、記録再生装置は、SDRAM１５等に保持されている時間管理情報に基づいて、第２のストリームデータの先頭部分についての時間管理情報を生成する。即ち、SDRAM１５等に記憶されている時間管理情報の内容が、第１のストリームデータにおける記録一時停止指示操作時点の記録対象部分についての内容から、第２のストリームデータの先頭部分についての内容に書き換えられる。そして、記録再生装置は、内容書き換え後の時間管理情報を利用して、第２のストリームデータのHDD３１への記録を開始する（記録を再開する）。
【００８３】
これにより、第１のストリームデータと第２のストリームデータとが、１つのストリームデータとして、即ち、ストリームの連続性が保たれた状態で、DVD３１に記録されるのである。
【００８４】
以上の内容を換言すると、図１の記録再生装置は、上述した第１の問題と第２の問題を解決するための処理として、例えば図３のフローチャートに従った処理（以下、記録処理と称する）を実行できる。そこで、以下、図３のフローチャートを参照して、記録処理の一例について説明する。
【００８５】
ステップＳ１において、CPU１は、DVD３１への記録開始指示操作がなされたか否かを判定する。
【００８６】
本実施の形態では、記録ボタンと再生ボタンとの同時押下がなされるまでの間、ステップＳ１において、記録開始指示操作がなされていないと判定されて、処理はステップＳ１に戻され、記録開始指示操作がなされたか否かが再度判定される。
【００８７】
その後、記録ボタンと再生ボタンとの同時押下がなされると、ステップＳ１において、DVD３１への記録開始指示操作がなされたと判定され、処理はステップＳ２に進む。
【００８８】
ステップＳ２において、CPU１は、タイトル番号Ｉを設定する。具体的には例えば、本実施の形態では、タイトルが１つもDVD３１に記録されていない場合には、タイトル番号Ｉ＝１が設定され、また、タイトル１乃至Ｋ（Ｋは１以上の任意の整数値）がDVD３１に既に記録されている場合には、タイトル番号Ｉ＝Ｋ＋１が設定される。
【００８９】
ステップＳ３において、CPU１は、チャプタ番号Ｊ＝１を設定する。
【００９０】
ステップＳ４において、CPU１は、エンコーダ／デコーダ１０、読み書き制御部１１、およびドライブ１３等を制御して、その時点で供給されてきた映像信号Vや音声信号A（以下、これらをまとめてAV信号と称する）を、タイトルＩのチャプタＪの記録データ（圧縮コンテンツデータ）として、HDD１２を介してDVD３１に記録させる。
【００９１】
なお、HDD１２を介するDVD３１へのデータの記録とは、上述したATA規格に基づくデータの記録、即ち、HDD１２をバッファとして利用して、そのバッファにデータを記録させた後に、そのデータをバッファから読み出してDVD３１に記録させることを意味する。
【００９２】
ステップＳ５において、CPU１は、DVD３１への記録終了指示操作がなされたか否かを判定する。
【００９３】
本実施の形態では、停止ボタンの押下操作がなされると、ステップＳ５において、記録終了指示操作がなされたと判定されて、処理はステップＳ６に進む。
【００９４】
ステップＳ６において、CPU１は、タイトルＩの生成（タイトルＩの終了処理）を行う。これにより、この記録処理は終了となり、DVD３１には、タイトルＩの記録がなされたことになる。なお、タイトルＩ＝Ｋの記録後にも記録開始指示操作がなされることがあるので、タイトルＫについての記録処理終了後、直ちに次のタイトルＫ＋１についての記録処理が開始される。即ち、タイトルＫについての記録処理終了後、次の記録開始指示操作がなされるまで、ステップＳ１の判定処理が繰り返され、次の記録開始指示操作がなされると、ステップＳ２においてタイトル番号Ｉ＝Ｋ＋１が設定され、それ以降の処理でタイトルＫ＋１のDVD３１への記録がなされることになる。
【００９５】
これに対して、停止ボタンの押下操作がなされない限り、ステップＳ５において、記録終了指示操作がなされていないと常に判定されて、処理はステップＳ７に進む。
【００９６】
ステップＳ７において、CPU１は、記録一時停止指示操作がなされたか否かを判定する。
【００９７】
本実施の形態では、一時停止ボタンの押下操作が、記録一時停止指示操作とされている。従って、一時停止ボタンの押下操作がなされない限り、ステップＳ７において、記録一時停止指示操作がなされていないと常に判定され、処理はステップＳ４に戻され、それ以降の処理が繰り返される。即ち、一時停止ボタンの押下操作がなされない限り、順次提供されてくるAV信号は、タイトルＩのチャプタJの記録データとしてDVD３１に記録され続ける。
【００９８】
その際、順次提供されてくるAV信号に対応する圧縮コンテンツデータ（ストリームデータ）を構成する各部分（アクセスユニット等）のうちの、記録対象の部分についての時間管理情報は、上述したように例えばSDRAM１５等に記憶されていく。即ち、SDRAM１５等においては、記録対象の部分が更新される毎に、時間管理情報の内容が書き換えられていく。
【００９９】
その後、一時停止ボタンの押下操作がなされると、ステップＳ７において、記録一時停止指示操作がなされたと判定されて、処理はステップＳ８に進む。
【０１００】
ステップＳ８において、CPU１は、SDRAM１５等にその時点で記憶されている時間管理情報を保持する。
【０１０１】
ステップＳ９において、CPU１は、再生指示操作がなされたか否かを判定する。
【０１０２】
ステップＳ９において、再生指示操作がなされたと判定した場合、CPU１は、ステップＳ１０において、エンコーダ／デコーダ１０および読み書き制御部１１等を制御して、HDD１２の記録データを再生する。
【０１０３】
ここに、ステップＳ９でいう再生指示操作とは、上述したように、再生ボタンの押下による再生開始指示操作の他、早送り、巻き戻し、変速（高速や低速）再生等様々な再生に関する指示操作を含む。従って、ステップＳ１０でいう再生とは、各種指示操作に従った各種再生をいう。即ち、CPU１は、HDD１２にバッファリングされているデータ（記録データ）であれば、任意のタイトルの任意のチャプタの再生を任意の方法（通常再生、高速再生、低速再生等）で行うことができ、さらに、それらの各種再生中においても、早送りや巻き戻し等の各種動作を行うことができる。
【０１０４】
ステップＳ１０の処理が終了した場合、または、ステップＳ９において再生指示操作がなされていないと判定された場合、処理はステップＳ１１に進む。
【０１０５】
ステップＳ１１において、CPU１は、記録一時停止解除指示操作がなされたか否かを判定する。
【０１０６】
本実施の形態では、一時停止ボタンの押下状態の解除指示操作が、記録一時停止解除指示操作とされている。従って、一時停止ボタンが押下状態である限り、ステップＳ１１において、記録一時停止解除指示操作がなされていないと常に判定され、処理はステップＳ８に戻され、それ以降の処理が繰り返される。即ち、一時停止ボタンが押下状態である限り、ユーザは、所望の記録データを所望の再生方法でHDD１２から再生させることができる。
【０１０７】
その後、一時停止ボタンの押下状態の解除指示操作がなされると、ステップＳ１１において、記録一時停止解除指示操作がなされたと判定され、処理はステップＳ１２に進む。
【０１０８】
ステップＳ１２において、CPU１は、ステップＳ８の処理により保持されていた時間管理情報の書き換えを行う。
【０１０９】
ステップＳ１３において、CPU１は、チャプタ番号Jを１だけインクリメントする（J＝J＋１）。その後、処理はステップＳ４に戻され、それ以降の処理が繰り返される。
【０１１０】
即ち、DVD３１への記録が再開され、それ以降提供されてくるAV信号は、タイトルＩの次のチャプタＪ（Ｊ＝Ｊ＋１）の記録データ（圧縮コンテンツデータ）としてDVD３１に記録されていく。
【０１１１】
さらに、図４を参照して、かかる図３の記録処理の具体例について説明する。即ち、図４は、図３の記録処理の結果の具体例を示している。
【０１１２】
記録開始指示操作がなされると（ステップＳ１ＹＥＳ）、次の記録終了指示操作または記録一時停止指示操作がなされるまでの間に提供されてくるAV信号は、タイトルＩのチャプタ１の記録データとしてDVD３１に記録されていく（ステップＳ４乃至Ｓ７のループ処理）。
【０１１３】
具体的には例えば、エンコーダ／デコーダ１０は、図４中「ENCODE」という記述で示されているように、切替部２２や切替部２３から順次提供されてくるAV信号に対してエンコード処理を施し、その結果得られる圧縮コンテンツデータ（第１のストリームデータ）を読み書き制御部１１に提供する。
【０１１４】
次に、読み書き制御部１１は、図４中「Write動作」という記述で示されているように、エンコーダ／デコーダ１０から順次提供されてくる圧縮コンテンツデータの各部分をHDD１２に順次書き込んでいく。その際、CPU１は、読み書き制御部１１を制御して、書き込み対象（記録対象）の部分についての時間管理情報をSDRAM１５にその都度（書き込み対象が更新される毎に）書き込んでいく。
【０１１５】
次に、読み書き制御部１１は、HDD１２に順次書き込んでいった圧縮コンテンツデータの各部分を、HDD１２から順次読み出していき、ドライブ１３に提供する。すると、ドライブ１３は、図４中「Write動作（チャプタ１）」という記述で示されているように、読み書き制御部１１から部分単位で提供されてくる圧縮コンテンツデータを、タイトルＩのチャプタ１の記録データとしてDVD３１に順次記録していく（書き込んでいく）。
【０１１６】
その後、記録一時停止指示操作がなされると（ステップＳ７ＹＥＳ）、再生指示操作または記録一時停止解除指示操作がなされるまでの間、記録再生装置の状態は記録一時停止状態となるため、各ブロックも処理待機状態となる（ステップＳ８、Ｓ９ＮＯ、Ｓ１１ＮＯのループ処理）。
【０１１７】
具体的には例えば、エンコーダ／デコーダ１０は、図４中「STOP」という記述で示されているように、エンコード処理もデコード処理も実行しない。また、読み書き制御部１１とドライブ１３も、図４中「待機」という記述で示されているように、その処理の実行を待機する。
【０１１８】
このとき、図４中矢印内の記述に示されるように、タイトル自体はクローズせず、即ちステップＳ６のタイトルの終了処理は実行されずに、タイトルオープン状態となる。また、時間管理情報もSDRAM１５等に保持される（ステップＳ８）。
【０１１９】
その後、再生指示操作がなされると（ステップＳ９ＹＥＳ）、HDD１２の記録データが再生される（ステップＳ１０）。
【０１２０】
具体的には例えば、読み書き制御部１１は、図４中「Read動作」という記述で示されているように、HDD１２に記録されている圧縮コンテンツデータ（記録データ）のうちの、再生指示操作で指定された開始部分（例えば所定のチャプタの先頭部分、即ちインデックスが付された部分等）から各部分を順次読み出し、エンコーダ／デコーダ１０に順次提供する。
【０１２１】
エンコーダ／デコーダ１０は、図４中「DECODE」という記述で示されているように、読み書き制御部１１から順次提供されてくる圧縮コンテンツデータの各部分に対してデコード処理を施し、その結果得られるAV信号を、D/A変換部１９若しくは２０、並びにAV信号用インタフェース部１６を介して外部に出力する。
【０１２２】
この間、ドライブ１３は、図４中「待機」という記述で示されているように、DVD３１へのアクセスを行わず、即ち、圧縮コンテンツデータの読み書きを行わずに待機している。
【０１２３】
その後、記録一時停止解除指示操作がなされると（ステップＳ１１ＹＥＳ）、図４中矢印内の記述に示されるように、SDRAM１５等に保持されていた時間管理情報の書き換えが行われて（ステップＳ１２）、その書き換え後の時間管理情報を利用して、DVD３１へのデータ記録が再開される。即ち、記録一時停止解除指示操作以降に提供されてくるAV信号が、今度は、タイトルＩのチャプタ２の記録データとしてDVD３１に記録されていく（ステップＳ１３、ステップＳ４乃至Ｓ７のループ処理）。
【０１２４】
具体的には例えば、エンコーダ／デコーダ１０は、図４中「ENCODE」という記述で示されているように、切替部２２や切替部２３から順次提供されてくるAV信号に対してエンコード処理を施し、その結果得られる圧縮コンテンツデータ（第２のストリームデータ）を読み書き制御部１１に提供する。
【０１２５】
次に、読み書き制御部１１は、図４中「Write動作」という記述で示されているように、エンコーダ／デコーダ１０から順次提供されてくる圧縮コンテンツデータの各部分をHDD１２に順次書き込んでいく。
【０１２６】
次に、読み書き制御部１１は、HDD１２に順次書き込んでいった圧縮コンテンツデータの各部分を、HDD１２から順次読み出していき、ドライブ１３に提供する。すると、ドライブ１３は、図４中「Write動作（チャプタ２）」という記述で示されているように、読み書き制御部１１から部分単位で提供されてくる圧縮コンテンツデータを、タイトルＩのチャプタ２の記録データとしてDVD３１に順次記録していく（書き込んでいく）。
【０１２７】
ところで、上述した一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１２８】
この記録媒体は、装置本体とは別に、ユーザにプログラムを提供するために配布される、プログラムが記録されている磁気ディスク（フロッピディスクを含む）、光ディスク（CD-ROM（Compact Disk-Read Only Memory)，図１のDVD３１を含む）、光磁気ディスク（ＭＤ（Mini-Disk）を含む）、もしくは半導体メモリなどよりなるリムーバブル記録媒体により構成されるだけでなく、装置本体に予め組み込まれた状態でユーザに提供される、プログラムが記録されている図１のFLASHメモリ２や、図１のHDD１２に含まれるハードディスクなどで構成される。
【０１２９】
なお、本明細書において、記録媒体に記録されるプログラムを記述するステップは、記載された順序に沿って時系列的に行われる処理はもちろん、必ずしも時系列的に処理されなくとも、並列的または個別に実行される処理をも含むものである。
【図面の簡単な説明】
【０１３０】
【図１】本発明が適用される記録再生装置のハードウエア構成例を示す図である。
【図２】タイトルとチャプタの一例を説明する図である。
【図３】図１の記録再生装置が実行する記録処理の一例を説明するフローチャートである。
【図４】図３の記録処理結果の例を示す図である。
【符号の説明】
【０１３１】
１  CPU，  ２  FLASHメモリ，  ３  SDRAM，  ４  制御信号入出力制御部，  ５  操作部，  ６  232C用インタフェース部，  ７  USB用インタフェース部，  ８  表示部，  ９  バス，  １０  エンコーダ/デコーダ，  １１  読み書き制御部，  １２  HDD，  １３  ドライブ，  １４，１５  SDRAM，  １６  AV信号用インタフェース部，  １７，１８  A/D変換部，  １９，２０  D/A変換部，  ２１  i.LINK用インタフェース部，  ２２，２３  切替部，  ２４  電源部，  ３１  DVD，  ５１  操作内容検出部，  ５２  一時停止制御部，  ５３  一時停止回数算出部，  ５４  チャプタイトル管理部，  ５５  記録制御部
【図１】
2007172672.tif 000003
【図２】
2007172672.tif 000004
【図３】
2007172672.tif 000005
【図４】
2007172672.tif 000006